(57)【要約】【課題】コリメータの光軸の位置および傾斜角を容易かつ確実に微調整する。【解決手段】入力側光ファイバ１１と、この入力側光ファイバ１１の光軸上に連設された光学レンズ１３とを有する入力側コリメータ５を備え、入力側コリメータ５の光軸の傾斜角を調整するための傾斜角調整部材１５と、入力側コリメータ５の光軸の位置を調整するための位置調整部材１６とを有する入力側光軸調整機構７を備え、入力側光軸調整機構７を介して入力側コリメータ５を支持する筐体９を備える。そして、傾斜角調整部材１５は、外径が入力側コリメータ５の光軸Ｌ１方向に沿って次第に縮径された円筒状に形成されて、内周部に入力側コリメータ５を支持する。また、位置調整部材１６は、傾斜角調整部材１５の外周部が挿入されて摺接される挿入穴１９が設けられて、筐体９に固定される。【選択図】　図２
2004045838.tif 000002
【特許請求の範囲】
【請求項１】
光ファイバと、前記光ファイバの光軸上に連設された光学レンズとを有するコリメータと、
前記コリメータの光軸の傾斜角を調整するための傾斜角調整部材と、前記コリメータの光軸の位置を調整するための位置調整部材とを有する光軸調整機構と、
前記光軸調整機構を介して前記コリメータを支持する筐体とを備え、
前記傾斜角調整部材は、外径が前記コリメータの光軸方向に沿って次第に縮径された円筒状に形成されて、内周部に前記コリメータを支持し、
前記位置調整部材は、前記傾斜角調整部材の外周部が挿入されて摺接される挿入穴が設けられて、前記筐体に固定された光デバイス。
【請求項２】
前記筐体には、一組の前記コリメータが対向する位置にそれぞれ配設されるとともに、前記一組のコリメータの各光軸をそれぞれ調整するための一組の光軸調整機構が設けられた請求項１に記載の光デバイス。
【請求項３】
前記傾斜角調整部材は、前記コリメータと一体に形成された請求項１または２に記載の光デバイス。
【請求項４】
前記位置調整部材には、前記筐体の外周面に連続する傾斜面が形成された請求項１ないし３のいずれか１項に記載の光デバイス。
【請求項５】
コリメータの光軸の傾斜角を調整するための傾斜角調整部材と、
前記コリメータの光軸の位置を調整するための位置調整部材とを備え、
前記傾斜角調整部材は、外径が前記コリメータの光軸方向に沿って次第に縮径された円筒状に形成されて、内周部に前記コリメータを支持し、
前記位置調整部材は、前記傾斜角調整部材の外周部が挿入されて摺接される挿入穴が設けられて、取り付け部材に固定された光軸調整機構。
【請求項６】
前記傾斜角調整部材は、前記コリメータと一体に形成された請求項５に記載の光軸調整機構。
【請求項７】
前記位置調整部材には、前記取り付け部材の外周面に連続する傾斜面が形成された請求項５または６に記載の光軸調整機構。
【発明の詳細な説明】
【０００１】
【発明の属する技術分野】
本発明は、例えば光通信等に用いられて光ファイバ間を光学的に接続するための光デバイス、および光ファイバを有するコリメータの光軸を調整するための光軸調整機構に関する。
【０００２】
【従来の技術】
従来、光ファイバを用いた光通信では、例えば情報伝送路である光路上に設けられて、入力側光ファイバと出力側光ファイバとを光学的に接続するための光デバイスが用いられている。
【０００３】
この種の光デバイスには、入力側光ファイバと出力側光ファイバの各接続端に光学レンズが連設された一組の入力側コリメータおよび出力側コリメータを備え、各コリメータを対向する位置にそれぞれ配置して、これら各コリメータの各光軸を一致させて光学的に接続する光デバイスが知られており、例えば特開平９−１５４４７号公報に光ファイバーコリメータの固定構造および方法が開示されている。
【０００４】
この従来の光デバイスは、コリメータがスリーブに設けられた球体部の球面が、固定連結部材の貫通穴のエッジ部に摺接されており、固定連結部材に対して球体部を摺動させることによって、コリメータの光軸の傾斜角が調整される。また、この従来の光デバイスは、ケースの端面に対して固定連結部材が摺動されることによって、コリメータの光軸の位置が調整される。したがって、従来の光デバイスは、各コリメータの光軸の位置および傾斜角がそれぞれ調整されることによって、各コリメータの光軸が互いに一致されて、光学的に接続される。
【０００５】
【発明が解決しようとする課題】
ところで、上述したような光デバイスにおいて、コリメータの光軸の調整に必要とされる光軸の傾斜角が１度以下であるため、微少な傾斜角を調整することが必要とされている。
【０００６】
しかしながら、従来の光デバイスは、固定連結部材の貫通穴のエッジ部に、球面部が摺接されており、コリメータの光軸を調整する際に、球面部の球面に沿って摺動されるため、球面部を摺動させたときに誤って必要以上に大きく滑らせてしまうことがあった。したがって、従来の光デバイスは、所望の傾斜角に調整するために球面部の移動を繰り返すことになり、コリメータの光軸の傾斜角を調整する調整作業が煩雑であるという不都合があった。すなわち、従来の光デバイスは、コリメータの光軸を微少な傾斜角だけ微調整することが困難であった。
【０００７】
そこで、本発明は、コリメータの光軸を容易かつ確実に微調整することができる光デバイスおよび光軸調整機構を提供することを目的とする。
【０００８】
【課題を解決するための手段】
上述した目的を達成するため、本発明に係る光デバイスは、光ファイバとこの光ファイバの光軸上に連設された光学レンズとを有するコリメータと、コリメータの光軸の傾斜角を調整するための傾斜角調整部材と、コリメータの光軸の位置を調整するための位置調整部材とを有する光軸調整機構と、この光軸調整機構を介してコリメータを支持する筐体とを備える。そして、傾斜角調整部材は、外径がコリメータの光軸方向に沿って次第に縮径された円筒状に形成されて、内周部にコリメータを支持する。また、位置調整部材は、傾斜角調整部材の外周部が挿入されて摺接される挿入穴が設けられて、筐体に固定される。
【０００９】
以上のように構成した本発明に係る光デバイスによれば、傾斜角調整部材を介してコリメータを支持する位置調整部材を、外筐に対して移動させることにより、コリメータの光軸の位置が調整される。また、この光デバイスによれば、位置調整部材の挿入穴に挿入されている傾斜角調整部材を、位置調整部材に対して摺動させて傾斜させることにより、コリメータの光軸の傾斜角が調整される。そして、コリメータの光軸を調整する際、傾斜角調整部材は、外周部が、位置調整部材の挿入穴に摺接されており、挿入穴の開口縁を揺動支点として摺動されることにより、付与された調整力で誤って大きく移動されてしまうことなく、コリメータの光軸の傾斜角を容易かつ確実に微調整する。
【００１０】
また、本発明に係る光デバイスは、コリメータの光軸の傾斜角を調整するための傾斜角調整部材と、コリメータの光軸の位置を調整するための位置調整部材とを備える。そして、傾斜角調整部材は、外径がコリメータの光軸方向に沿って次第に縮径された円筒状に形成されて、内周部にコリメータを支持する。また、位置調整部材は、傾斜角調整部材の外周部が挿入されて摺接される挿入穴が設けられて、取り付け部材に固定される。
【００１１】
以上のように構成された本発明に係る光軸調整機構によれば、傾斜角調整部材を介してコリメータを支持する位置調整部材を、取り付け部材に対して移動させることにより、コリメータの光軸の位置が調整される。また、この光軸調整機構によれば、位置調整部材の挿入穴に挿入されている傾斜角調整部材を、位置調整部材に対して摺動させて傾斜させることにより、コリメータの光軸の傾斜角が調整される。そして、コリメータの光軸を調整する際、傾斜角調整部材は、外周部が、位置調整部材の挿入穴に摺接されており、挿入穴の開口縁を揺動支点として傾斜されることにより、付与された調整力で誤って大きく移動されてしまうことなく、コリメータの光軸の傾斜角を容易かつ確実に微調整する。
【００１２】
また、本発明が備える光デバイスおよび光軸調整機構は、位置調整部材に、筐体または取り付け部材の外周面に連続する傾斜面が形成されることが好ましい。これによって、位置調整部材は、コリメータの光軸が調整された状態で、接合材を介して筐体または取り付け部材の外周面に固定される際に、接合材が該外周面と傾斜面とに跨って確実に付着されるため、良好に接合して固定することが可能になる。
【００１３】
【発明の実施の形態】
以下、本発明の具体的な実施形態について、光デバイスを図面を参照して説明する。
【００１４】
図１および図２に示すように、光デバイス１は、互いに光軸が一致される一対の入力側コリメータ５および出力側コリメータ６と、これら入力側コリメータ５および出力側コリメータ６の各光軸Ｌ１，Ｌ２を調整するための入力側光軸調整機構７および出力側光軸調整機構８と、これら各光軸調整機構７，８を介して各コリメータ５，６を支持する筐体９とを備えている。
【００１５】
入力側コリメータ５および出力側コリメータ６は、図３に示すように、入力側光ファイバ１１および出力側光ファイバ１２の光軸と一致されて、これら各光ファイバ１１，１２に連設された光学レンズ１３を有している。光学レンズ１３としては、例えばＧＲＩＮ（Ｇｒａｄｅｄ　Ｒｅｆｒａｃｔｉｖｅ　ＩＮｄｅｘ）レンズや非球面レンズ等が用いられる。
【００１６】
入力側光軸調整機構７は、図２に示すように、入力側コリメータ５の光軸Ｌ１の傾斜角を調整するための傾斜角調整部材１５と、入力側コリメータ５の光軸Ｌ１の位置を調整するための位置調整部材１６とを有している。
【００１７】
傾斜角調整部材１５は、図４および図５に示すように、例えば金属材料によって円筒状に形成されており、入力側コリメータ５が挿入される挿入穴１８を有している。入力側コリメータ５は、傾斜角調整部材１５の挿入穴１８内に挿入されて例えばＹＡＧ溶接や接着剤等によって固定されている。
【００１８】
また、傾斜角調整部材１５は、入力側コリメータ５の光軸Ｌ１方向の先端側に向かって、外径が光軸Ｌ１方向に沿って次第に縮径されており、外周部が円錐状に形成されている。
【００１９】
位置調整部材１６は、図６および図７に示すように、例えば金属材料によって円筒状に形成されており、傾斜角調整部材１５の外周部が挿入されて摺接される挿入穴１９を有している。
【００２０】
位置調整部材１６の挿入穴１９の内径は、傾斜角調整部材１５の光軸方向の基端側近傍の外径とほぼ等しく形成されている。このため、傾斜角調整部材１５は、位置調整部材１６の挿入穴１９に挿入されたとき、基端側の外周部が係合されるため、基端側を揺動支点として、入力側コリメータ５の先端側を調動することが可能にされている。
【００２１】
また、位置調整部材１６には、筐体９の側面に当接する一端側の外周部に、筐体９の側面に連続する傾斜面２１を有するフランジ部２０が一体に突出して形成されている。位置調整部材１６は、筐体９の外周面に当接されたときに、フランジ部２０の傾斜面２１が筐体９の外周面に滑らかに連続されるため、筐体９の側面と位置調整部材１６の外周面とによって後述する接合材２５が進入しにくい隅部が形成されないため、良好に接合することが可能にされている。また、位置調整部材１６は、フランジ部２０が形成されることによって、筐体９の側面に当接する面積を大きく確保することができるため、入力側コリメータ５の光軸Ｌ１の位置を調整する動作が安定されている。
【００２２】
出力側光軸調整機構８は、上述した入力側光軸調整機構７と構成が同一であるため、同一部材には同一符号を付して説明を省略する。
【００２３】
筐体９は、例えば金属材料によって箱状に形成されており、対向する両側面部に、入力側コリメータ５および出力側コリメータ６の先端側がそれぞれ挿入される円形状の挿入口２３がそれぞれ設けられている。挿入口２３の内径は、位置調整部材１６の挿入穴１９の内径とほぼ等しい大きさに形成されており、各コリメータ５，６の光軸Ｌ１，Ｌ２が傾斜された際に、内周部に各コリメータ５，６の先端が当接されることがない大きさに形成されている。
【００２４】
そして、光デバイス１は、図８に示すように、各光軸調整機構７，８によって各コリメータ５，６の光軸Ｌ１，Ｌ２が調動された後、傾斜角調整部材１５と位置調整部材１６、および位置調整部材１６と筐体９が、例えばＹＡＧ溶接やはんだ付け等が施されることで、接合材２５によってそれぞれ接合されて固定されている。
【００２５】
なお、図示しないが、上述した筐体９内には、必要に応じて例えばフィルタ等の光学機能部材が光軸上に配置される構成にされてもよい。
【００２６】
以上のように構成された光デバイス１について、入力側光軸調整機構７によって入力側コリメータ５の光軸Ｌ１の位置および傾斜角をそれぞれ調整する動作を説明する。
【００２７】
まず、入力側光軸調整機構７は、図９（ａ）に示すように、位置調整部材１６の挿入穴１９内で傾斜角調整部材１５を揺動させることによって、傾斜角調整部材１５の外周部と挿入穴１９の開口縁の摺接箇所を揺動支点として、入力側コリメータ５の先端側が移動される。
【００２８】
そして、入力側光軸調整機構７は、傾斜角調整部材１５の外周部が挿入穴１９の開口縁に沿って摺動することよって、傾斜角調整部材１５が大きく移動することなく、入力側コリメータ５の先端側がＸ軸方向に対して揺動されて、光軸Ｌ１の傾斜角θｘが容易かつ確実に微調整される。また、入力側光軸調整機構７は、筐体９の側面上に沿って位置調整部材１６をＸ軸方向に摺動させることによって、Ｘ軸方向に対する光軸Ｌ１の位置が微調整される。
【００２９】
同様に、入力側光軸調整機構７は、図９（ｂ）に示すように、位置調整部材１６の挿入穴１９の開口縁に沿って傾斜角調整部材１５を揺動させることによって、入力側コリメータ５の先端側がＹ軸方向に対して揺動されて、光軸Ｌ１の傾斜角θｙが容易かつ確実に微調整される。また、入力側光軸調整機構７は、筐体９の側面上に沿って位置調整部材１６をＹ軸方向に摺動させることによって、Ｙ軸方向に対する光軸Ｌ１の位置が微調整される。
【００３０】
なお、入力側光軸調整機構７によってそれぞれ調整される光軸Ｌ１の傾斜角θｘ，θｙは、１度以下に設定されている。そして、入力側光軸調整機構７は、入力側コリメータ５の光軸Ｌ１のＸ軸方向およびＹ軸方向の位置と、光軸Ｌ１のＸ軸方向およびＹ軸方向と平行に傾斜させた各傾斜角θｘ，θｙとがそれぞれ微調整された状態で、接合材２５によって接合されて固定される。
【００３１】
出力側光軸調整機構８による出力側コリメータ６の光軸Ｌ２の調整動作も、上述した入力側光軸調整機構７による入力側コリメータ５の光軸Ｌ１の調整動作と同一であるため、説明を省略する。
【００３２】
つぎに、光デバイス１において、入力側光軸調整機構７および出力側光軸調整機構８によって、各光軸Ｌ１，Ｌ２の位置および傾斜角がそれぞれ調整された状態を図面を参照して説明する。
【００３３】
図１０に示すように、光デバイス１は、入力側光軸調整機構７によって、傾斜角調整部材１５が位置調整部材１６に対して図１０中矢印Ｒ１方向に対して揺動されることで、入射側コリメータ５の光軸Ｌ１の傾斜角が調整されるとともに、位置調整部材１５が筐体９の側面上に沿って図１０中矢印Ｐ２方向に摺動されることによって、入射側コリメータ５の光軸Ｌ１の位置が調整されている。また、この光デバイス１は、出力側光軸調整機構８によって、傾斜角調整部材１５が位置調整部材１６に対して図１０中矢印Ｓ２方向に対して揺動されることで、出力側コリメータ６の光軸Ｌ２の傾斜角が調整されるとともに、位置調整部材１６が筐体９の側面上に沿って図１０中矢印Ｐ１方向に摺動されることによって、出力側コリメータ６の光軸Ｌ２の位置が調整されている。このように各光軸Ｌ１，Ｌ２がそれぞれ調整されることによって、光デバイス１は、入力側コリメータ５および出力側コリメータ６の各光軸Ｌ１，Ｌ２が互いに一致されて光学的に接続されている。
【００３４】
また、図１１に示すように、光デバイス１は、入力側光軸調整機構７によって、傾斜角調整部材１５が位置調整部材１６に対して図１１中矢印Ｒ２方向に対して揺動されることで、入射側コリメータ５の光軸Ｌ１の傾斜角が調整されるとともに、位置調整部材１５が筐体９の側面上に沿って図１１中矢印Ｐ１方向に摺動されることによって、入射側コリメータ５の光軸Ｌ１の位置が調整されている。また、この光デバイス１は、出力側光軸調整機構８によって、傾斜角調整部材１５が位置調整部材１６に対して図１１中矢印Ｓ１方向に対して揺動されることで、出力側コリメータ６の光軸Ｌ２の傾斜角が調整されるとともに、位置調整部材１６が筐体９の側面上に沿って図１１中矢印Ｐ２方向に摺動されることによって、出力側コリメータ６の光軸Ｌ２の位置が調整されている。このように各光軸Ｌ１，Ｌ２がそれぞれ調整されることによって、光デバイス１は、入力側コリメータ５および出力側コリメータ６の各光軸Ｌ１，Ｌ２が互いに一致されて光学的に接続されている。
【００３５】
また、図１２に示すように、光デバイス１は、入力側光軸調整機構７によって、傾斜角調整部材１５が位置調整部材１６に対して図１２中矢印Ｒ２方向に対して揺動されることで、入射側コリメータ５の光軸Ｌ１の傾斜角が調整されている。また、この光デバイス１は、出力側光軸調整機構８によって、傾斜角調整部材１５が位置調整部材１６に対して図１２中矢印Ｓ２方向に対して揺動されることで、出力側コリメータ６の光軸Ｌ２の傾斜角が調整されている。このように各光軸Ｌ１，Ｌ２がそれぞれ調整されることによって、光デバイス１は、入力側コリメータ５および出力側コリメータ６の各光軸Ｌ１，Ｌ２が互いに一致されて光学的に接続されている。
【００３６】
なお、上述した光デバイス１は、各コリメータ５，６が傾斜角調整部材１５の挿入穴１８内に固定された構成が採られたが、例えば各コリメータ５，６から出射される光ビームの焦点距離等を調整する必要に応じて、傾斜角調整部材１５に対して各コリメータ５，６を光軸方向に平行なＺ軸方向に沿って移動させることによって、Ｚ軸方向に対しても微調整することが可能に構成されてもよい。
【００３７】
上述したように、光デバイス１は、位置調整部材１６の挿入穴１９の開口縁に沿って、外周部が摺動される略円錐状の傾斜角調整部材１５を有する各光軸調整機構７，８を備えることによって、各コリメータ５，６の光軸Ｌ１，Ｌ２のＸ軸方向およびＹ軸方向の位置と傾斜角とを容易にそれぞれ調整することができる。光デバイス１が備える各光軸調整機構７，８によれば、位置調整部材１６の挿入穴１９の開口縁に沿って、傾斜角調整部材１５の外周部を摺動させることによって、光軸Ｌ１，Ｌ２の傾斜角が調整されるため、傾斜角調整部材１５に付与した調整力による光軸Ｌ１，Ｌ２の変位量が比較的小さくされている。すなわち、各光軸調整機構７，８によれば、コリメータ５，６の光軸Ｌ１，Ｌ２の傾斜角を調整する際に、傾斜角調整部材１５に付与する調整力によって、傾斜角調整部材１５が誤って大きく移動し過ぎることが抑えられているため、特に光軸Ｌ１，Ｌ２の傾斜角を容易かつ確実に微調整することが可能にされる。これにより結合損失を低減できると共に波長依存性を向上することができる。
【００３８】
また、上述した従来の光デバイスにおいて、固定連結部材と球体部との摺動量に対して、光軸の変位量を小さくするためには、球面部の曲率半径を大きくする必要があり、球面部およびスリーブが大型化してしまう不都合がある。しかしながら、本発明に係る光デバイス１によれば、従来の光デバイスが備える球面部が設けられたスリーブに比較して、傾斜角調整部材１５の大きさを小さくすることが可能であるため、各光軸調整機構７，８の小型化を図ることができる。
【００３９】
また、光デバイス１が備える各光軸調整機構７，８は、上述した従来の光デバイスのようにコリメータを支持するスリーブに球面部を形成するための球面加工を施す必要がなく、傾斜角調整部材１５および位置調整部材１６の形状が比較的簡素であるため、容易に製造することが可能とされて、製造コストを低減することができる。
【００４０】
上述した光デバイス１は、各コリメータ５，６と傾斜角調整部材１５とが別体に構成されて組み付けられたが、各コリメータに傾斜角調整部が一体に形成されてもよい。
【００４１】
図１３に示すように、コリメータ３５は、入力側光ファイバ１１の光軸に一致して設けられた光学レンズ３８と、この光学レンズ３８から出射される光ビームの光軸の傾斜角を調整するための傾斜角調整部３９とを有している。傾斜角調整部３９は、入力側光ファイバ１１に一体に形成されており、上述した各コリメータ５，６のように、傾斜角調整部材１５に固定するための工程を削減することが可能になり、傾斜角調整部材１５に挿入穴１９を形成する必要がなくなる。
【００４２】
上述した光デバイス１は、入力側コリメータ５および出力側コリメータ６を備える構成にされたが、例えば、筐体９に固定された出力側コリメータの光軸に対して、入力側コリメータの光軸にみが調整される構成にされてもよい。なお、他の光デバイスにおいて、上述した光デバイスと同一部材には同一符号を付して説明を省略する。
【００４３】
図１４に示すように、他の光デバイス２は、位置調整部材１６および傾斜角調整部３９によって光軸Ｌ３が調整される入力側コリメータ３５と、筐体９の挿入口４１に挿入されて固定された出力側コリメータ４０とを備えている。出力側コリメータ４０は、筐体９の挿入口４１に挿通されて固定されている。
【００４４】
この光デバイス２は、入力側コリメータ３５の傾斜角調整部３９を支持する位置調整部材１６を筐体９の側面上に沿って摺動させることによって、筐体９に固定された出力側コリメータ４０の光軸Ｌ０に対する入力側コリメータ３５の光軸Ｌ３の位置が調整される。また、光デバイス２は、位置調整部材１６の挿入穴１９内で入力側コリメータ３５の傾斜角調整部３９を揺動させることによって、筐体９に固定された出力側コリメータ４０の光軸Ｌ０に対する入力側コリメータ３５の光軸Ｌ３の傾斜角が容易かつ確実に調整される。
【００４５】
【発明の効果】
上述したように本発明によれば、外径がコリメータの光軸方向に沿って次第に縮径された円筒状に形成された傾斜角調整部材が、位置調整部材の挿入穴に挿入されたことによって、コリメータの光軸の位置および傾斜角を容易かつ確実に微調整することが可能になる。
【００４６】
また、本発明によれば、傾斜角調整部材の形状が簡素になるため、光軸調整機構の製造コストを低減することができる。
【図面の簡単な説明】
【図１】本発明に係る光デバイスを示す斜視図である。
【図２】前記光デバイスを示す断面図である。
【図３】入力側コリメータを示す側面図である。
【図４】傾斜角調整部材を示す平面図である。
【図５】傾斜角調整部材を示す断面図である。
【図６】位置調整部材を示す平面図である。
【図７】位置調整部材を示す断面図である。
【図８】入力側光軸調整機構を示す断面図である。
【図９】（ａ）は入力側光軸調整機構のＸ軸方向の調整を示す横断面図、（ｂ）は入力側光軸調整機構のＹ軸方向の調整を示す縦断面である。
【図１０】入力側光軸調整機構および出力側光軸調整機構によって各光軸がそれぞれ調整された状態を示す断面図である。
【図１１】入力側光軸調整機構および出力側光軸調整機構によって各光軸がそれぞれ調整された他の状態を示す断面図である。
【図１２】入力側光軸調整機構および出力側光軸調整機構によって各光軸がそれぞれ調整された更に他の状態を示す断面図である。
【図１３】他のコリメータを示す側面図である。
【図１４】本発明に係る他の光デバイスを示す断面図である。
【符号の説明】
１　光デバイス
５　入力側コリメータ
６　出力側コリメータ
７　入力側光軸調整機構
８　出力側光軸調整機構
９　筐体
１３　光学レンズ
１５　傾斜角調整部材
１６　位置調整部材
１８　挿入穴
１９　挿入穴
２０　フランジ部
２１　傾斜面
２３　挿入口
２５　接合材
Ｌ１，Ｌ２　光軸
【図１】
2004045838.tif 000003
【図２】
2004045838.tif 000004
【図３】
2004045838.tif 000005
【図４】
2004045838.tif 000006
【図５】
2004045838.tif 000007
【図６】
2004045838.tif 000008
【図７】
2004045838.tif 000009
【図８】
2004045838.tif 000010
【図９】
2004045838.tif 000011
【図１０】
2004045838.tif 000012
【図１１】
2004045838.tif 000013
【図１２】
2004045838.tif 000014
【図１３】
2004045838.tif 000015
【図１４】
2004045838.tif 000016